(57)【要約】  本発明は、液晶表示装置のバックライト用プリズム導光板とともに使用する反射シートにして、高輝度で、輝線、輝点、輝度斑（モアレ）の少ない、しかも、プリズム型導光板や反射シートが傷付にくく、高輝度を長時間に亘って維持する液晶表示装置を実現する反射シート及び該反射シートを使用するバックライトである。  本発明は、反射シートの一面にプリズム層を形成し、該プリズムの頂角は１４５度以上１６８度以下であり、また、該反射シートのプリズムの頂点間距離は５０μｍ以上５５０μｍ以下である。そして、反射シートは、プリズム型導光板のプリズム配列方向に対して、該反射シートのプリズムの配列方向がなす角度が５度以上２０度以下になるように配置するのが好ましい。【特許請求の範囲】
【請求項１】
液晶表示装置のバックライト用プリズム型導光板と共に使用される反射シートにして、前記反射シートの一面にプリズム層を形成したことを特徴とする液晶表示装置のバックライト用反射シート。
【請求項２】
前記反射シートのプリズムの頂角が１４５度以上１６８度以下であことを特徴とする請求項１に記載の液晶表示装置のバックライト用反射シート。
【請求項３】
前記反射シートのプリズムの頂点間距離が５０〜５５０μｍであることを特徴とする請求項１又は請求項２に記載の液晶表示装置のバックライト用反射シート。
【請求項４】
前記反射シートが、少なくともプリズム層、樹脂シート層及び金属膜層を含むことを特徴とする請求項１から請求項３のいずれかに記載の液晶表示装置のバックライト用反射シート。
【請求項５】
請求項１から請求項４のいずれかに記載の反射シートが、前記プリズム型導光板のプリズム配列方向に対して、前記反射シートのプリズムの配列方向がなす角度が５度以上２０度以下になるように配置されていることを特徴とする液晶表示装置のバックライト。
【発明の詳細な説明】
【技術分野】
【０００１】
本発明は、液晶表示装置のバックライト用プリズム型導光板とともに使用する反射シート及びその反射シートを使用した液晶表示装置のバックライトに関するものである。
【背景技術】
【０００２】
液晶表示装置は、携帯電話、デジタルカメラ、パソコン、ＯＡ機器等に広く使用され、携帯機器用の表示装置は、軽量化、薄型化、省電力化が特に求められている。また、液晶の表示品位が向上したことにより、バックライトの均一性、表示品位の更なる向上及び信頼性の向上が求められている。最近ではラップトップ型パソコンにおいても、テレビ画像表示が求められるようになり、特に表示装置の高輝度化、表示品位及び耐久性能の向上が求められている。【０００３】
これらの課題に対応するため、白色顔料を混合した白色系樹脂の反射シートやこの白色系樹脂の反射シートにスパッタ法、蒸着法等により、鏡面反射性の高い銀、アルミ等の金属膜層を設けたものが広く使用されるようになってきている。しかしながら、鏡面反射性の高い銀、アルミ等の金属膜層を設けた反射シートは、鏡面反射するので、光の干渉を起こし易く、また、バックライトの欠点がそのまま輝線や輝点となって現れやすい等の問題がある。【０００４】
この問題に対処するため、バックライトの輝度向上及び輝度斑（モアレ）を低減させるため、微細凹凸層を表面に形成した反射シート（特開２００４−６９８６７号公報）、突起物を設けた層をもつ面に平滑面を一体形成した反射シート（特開２００４−２５２３８３号公報）、エンボス加工した反射シート（特開２００５−３１９５８８号公報）、特開２００１−２６６６２９号公報）が提案されている。しかし、これらの微細凹凸層を形成した反射シート、突起物を設けた層をもつ面に平滑面を一体形成した反射シート、エンボス加工した反射シートは、輝度斑（モアレ）が依然として生じる、導光板を凸部、突起物などの点で支えるので、導光板の下に配置される反射シートの振動等により、導光板と反射シートが傷付き易く、それに伴い輝線や輝点が発生するという問題がある。【０００５】
【特許文献１】特開２００４−６９８６７号公報
【特許文献２】特開２００４−２５２３８３号公報
【特許文献３】特開２００５−３１９５８８号公報
【特許文献４】特開２００１−２６６６２９号公報
【発明の開示】
【発明が解決しようとする課題】
【０００６】
本発明は、液晶表示装置のバックライト用プリズム型導光板とともに使用する反射シートにして、高輝度で、光均一性が高く、輝線、輝点、輝度斑が少なく、しかも、プリズム型導光板や反射シートが傷付きにくく、高輝度を長時間に亘って維持する液晶表示装置を実現する反射シート及び該反射シートを使用する液晶表示装置のバックライトを提供しようとするものである。
【課題を解決するための手段】
【０００７】
本発明の要旨は、液晶表示装置のバックライト用プリズム型導光板とともに使用する反射シートにして、該反射シートの一面にプリズム層を形成したことを特徴とする反射シートである。そして、該反射シートのプリズムの形状がプリズムの頂角が１４５度以上１６８度以下であり、また、該反射シートのプリズムの頂点間距離（反射シートのプリズム断面の頂点と隣接するプリズムの断面の頂点との距離）が５０μｍ以上５５０μｍ以下である。【０００８】
本発明の反射シートは、少なくともプリズム層、樹脂シート層及び金属膜層を含むものである。必要に応じて、防錆層、接着層を設けることができ、更に、追加して接着剤層、樹脂シート層を設けることもできる。【０００９】
また、本発明の反射シートを、前記プリズム型導光板のプリズム配列方向に対して、該反射シートのプリズムの配列方向がなす角度が５度以上２０度以下になるように配置されていることを特徴とする液晶表示装置のバックライトである。
【発明の効果】
【００１０】
本発明の反射シートを使用することにより、鏡面反射等で実現できる高輝度を維持しながら、光均一性が高く、輝線、輝点、輝度斑（モアレ）が少なく、しかも、導光板や反射シートが傷付きにくく、高輝度を長時間に亘って維持する液晶装置を実現できるという効果を奏する。
【発明を実施するための最良の形態】
【００１１】
本発明の反射シートを使用した液晶表示装置におけるバックライトの構成の一例を模式的に図１に示した。即ち、液晶表示装置のバックライトは、反射シート３、プリズム型導光板２及びプリズムレンズシート４がこの順に積層され、プリズム型導光板の側方部に蛍光灯等のランプ１が配置されている。そして、プリズムレンズシート４はそのプリズム面を下に向けプリズム型導光板２に当接し、プリズム型導光板２はプリズム面を下にして反射シート３に当接し、反射シートのプリズム面は上向きでプリズム型導光板に当接している。プリズム型導光板２は、ランプ１の近くでは厚く、ランプ１から遠い位置では薄くなっているが、これは光量をできるだけ一定に保持し輝度の均一化を図るためのものである。尚、図１において、プリズム型導光板２のプリズムの配列方向は、光入射方向と一致（平行）し、プリズムレンズシート４のプリズム配列方向に対して垂直に配置されている。【００１２】
本発明は、この液晶表示装置のバックライト用のプリズム型導光板２とともに使用する反射シート３にして、該反射シート３の一面にプリズム層を形成したものである。該反射シートのプリズム層の形状はその一例を図２に示したが、プリズムの頂角αが１４５度以上１６８度以下であることを特徴とし、また、反射シート３のプリズムの頂点間距離（プリズム断面の頂点と隣接するプリズムの断面の頂点との距離）ｔが５０〜５５０μｍであることを特徴とする。ここで、該反射シートのプリズムの頂角は、全ての角度が同一の角度とし、また、プリズム頂点間距離もすべての頂点間で同一とするのが好ましい。【００１３】
図２に模式的に反射シートのプリズム層１１を示したが、プリズムの頂点１２の角度、即ち、頂角はαと記載している。更に、図２においてプリズムの頂点間距離、即ち、プリズム断面の頂点と隣接するプリズムの断面の頂点との距離はｔで示している。本発明の反射シートの形状は、プリズム断面の頂角αは１４５度以上１６８度以下であり、また、プリズムの頂点と隣接するプリズムの頂点との距離ｔ、即ち、頂点間距離が５０μｍ以上５５０μｍ以下であることを特徴としている。実施例１で示すように、反射シートのプリズムの形状を、頂角を１４５度以上１６８度以下にし、プリズム頂角間の距離を５０μｍ以上５５０μｍ以下にすることにより、鏡面反射等で実現できる高輝度を維持しながら、光均一性が高く、輝線、輝点、輝度斑（モアレ）が少なく、しかも、導光板や反射シートが傷付きにくく、高輝度を長時間に亘って維持する液晶装置を実現できるという効果を奏する。【００１４】
また、本発明の反射シートは、反射シートのプリズムの頂点が作る稜線の形状が直線、曲線状又は波線状とすることができる。図３（ａ）に反射シートのプリズムの頂点が作る稜線の形状が直線の場合を示し、図３（ｂ）には反射シートのプリズムの頂点が作る稜線の平面形状が曲線状又は波線状の場合を示している。この場合は、プリズムの頂点がなす稜線の垂直高さは、平面形状に関わりなく同一である。【００１５】
本発明の反射シートは、樹脂シートを基板とし、この基板の上にプリズム層を設けるが、更に金属膜層を設けることができる。即ち、スパッタ法、蒸着法等により、鏡面反射性の高い銀、アルミ等の金属膜層を設けることができる。広く使用される金属膜層は、可視光領域で最も反射率の高い銀、アルミニウム等を主体とする金属層が好ましい。【００１６】
本発明の反射シートは、基本的には樹脂シートの上にプリズム層を設けたものである。実際上は、プリズム層以外に金属膜層、必要に応じて接着層、防錆層、更には、接着剤層、追加の樹脂シート層を設けることができる。具体的な反射シートの構成の一例を図４に示した。即ち、反射シート２１は、プリズム層２２、防錆層２３、鏡面反射をする金属膜層２４、接着層２５及び樹脂シート層２６を含み上からこの順に積層されている。この構成において、樹脂シート層２６の下に更に、接着剤層２７と樹脂シート層２８を更に設けることもできる。接着剤層２７と樹脂シート層２８を設けることにより、反射シートの形態安定性を高めることができる。また、樹脂シート層２６、樹脂シート層２８は、透明樹脂シートでもよいし、白色顔料を含有する白色樹脂シート層でもよい。白色樹脂シートは、反射率が９０％以上で、拡散反射性のものが好ましい。顔料は、白色顔料以外の顔料を含んでいてもよい。プリズム層２２は、既に述べたように、プリズムの頂角が１４５度以上１６８度以下である。また、プリズムの頂点のとそれに隣接する頂点の距離が５０μｍ以上５５０μｍ以下とである。尚、図４は反射シートの構成を示すため、縦方向に実際よりも長く描いている。【００１７】
本発明の反射シートの具体的な構成の他の例を図５に示した。即ち、反射シート２１が、プリズム層２２、透明樹脂シート層２９、接着層２５、鏡面反射をする金属膜層２４及び防錆層２３を含み上からこの順に積層されている。この構成において、防錆層２３の下に更に、接着剤層２７と樹脂シート層２８を設けることもできる。接着剤層２７と樹脂シート層２８を設けることにより、反射シートの形態安定性を高めることができる。また、樹脂シート層２８は、透明樹脂シートでもよいし、白色顔料を含有する白色樹脂シート層でもよい。白色樹脂シートは、反射率が９０％以上で、拡散反射性のものが好ましい。顔料は、白色顔料以外の顔料を含んでいてもよい。プリズム層２２は、図４記載の例と同様に、プリズムの頂角が１４５度以上１６８度以下である。また、プリズムの頂点のとそれに隣接する頂点の距離が５０μｍ以上５５０μｍ以下である。尚、図５は反射シートの構成を示すため、縦方向に実際よりも長く描いている。【００１８】
鏡面反射をする金属膜層は、樹脂シート層との密着性とも関係するが、銀等の金属が凝集、酸化、硫化、塩化などで変性して反射率が低下することがある。金属膜層の変性に基づく反射率の低下を防止するため、防錆層２３を設ける。更に、防錆層２３、接着層２５には、酸素透過性及び湿度透過性の低い材料を用いることが好ましい。【００１９】
本発明の反射シートの基板として使用する樹脂シートは、例えばポリエチレンテレフタレート、ポリエチレンナフタレートなどのポリエステル樹脂、ポリ塩化ビニリデンなどのビニリデン樹脂、ポリエチレンなどのポリオレフイン樹脂、ビスフェノールＡ系ポリカーボネートなどのポリカーボネート樹脂、ポリエーテルスルホンなど各種樹脂からなるシートを好適に使用することができが、必ずしもこれらに限定されるものではなく、ガラス転移点又は融点が高いものを好適に使用することができる。更には、二軸延伸にて製造されたものがより好ましい。【００２０】
本発明の反射シートは、プリズム型導光板とともに使用するが、反射シートを、プリズム型導光板のプリズム配列方向又は光入射方向に対して、反射シートのプリズムの配列方向がなす角度を５度以上２０度以下になるように、配置することが好ましい。本発明の反射シートをこのように配置することにより、特に、輝度ムラ（モアレ）を低減することができる。角度が５度未満の場合はバックライトの輝度ムラ（モアレ）が解消できず、また、角度が２０度を超える場合は輝度ムラ（モアレ）は低減できるものの、輝度が低下するため好ましくない。【００２１】
プリズム型導光板のプリズム配列方向に対する反射シートのプリズムの配列角度を図８において説明する。図８は、プリズム型導光板２を部分的にカットして、その下に配置された反射シート３とを合わせて、反射シートとプリズム型導光板の一部を示したものである。図８には、プリズム型導光板２のプリズムの頂点が形成する稜線６、即ち、プリズム型導光板のプリズムの配列方向及び反射シート３のプリズムの頂点が形成する稜線５、即ち、反射シートのプリズムの配列方向が示されている。図８では、プリズム型導光板２のプリズムの配列方向に対して反射シートのプリズムの配列方向がなす角度は、θで示されている。本発明は、このθの角度が５度以上２０度以下になるように反射シートを配置することを特徴とする。【００２２】
以下、本発明を実施例に基づいて更に具体的に説明する。但し、本発明はかかる実施例に限定されるものではない。【００２３】
「各評価項目の評価方法」
１．ＧＰＬコスリ性
図６に示したような測定装置を用いて測定する。
サンプル（反射シート）を２ｃｍ角に切り、テスト用治具３２に反射シートの反射面がこすられる側となるように（反射シートのプリズムのある面をプリズム型導光板に向ける）両面テープで貼り付ける。プリズム型導光板３５のプリズム面を上に向くようにして（反射シート面に向けて）プリズム型導光板３５を平らな測定台３６の上に載置する。プリズム型導光板３５のプリズム面と反射シート（サンプル）のプリズム面とをこすり合わせるように、７００ｇの荷重をテスト用治具３２の上に課し、テスト用治具３２を２ｃｍ左右に１０回往復させた後、プリズム型導光板及び反射シートに傷付いていないか観察する。【００２４】
２．ボゴ試験
図７に示したような測定装置を用いて測定した。
平板上にプリズム面を上にしたプリズム型導光板４３を置き更にその上に反射シート４２をプリズム面をプリズム型導光板４３のプリズム面に向けて載置する。反射シート４２の上から、先端に１ｃｍ角の金属からなる加圧部４１を荷重２ｋｇ／ｃｍ２で４ｃｍの距離を１３０回／分のストロークの速度で１０００回反射シート４２を叩く。これは、液晶用バックライトの反射シートがプリズム型導光板と当接することにより反射シートに対する傷付け性（傷付き性）を測定する。【００２５】
３．相対輝度の測定法
トプコン社製色彩輝度計（品番：ＢＭ−７）を用いて相対輝度を測定した。即ち、液晶用バックライトでの従来の白反射シート及び測定証の反射シートの相対輝度を測定し、白反射シートの輝度に対する相対輝度を測定する。 【００２６】
４．モアレ評価方法 
反射シートを組み込んだ液晶バックライトの背面（非出光面）を接触し、光の干渉模様を目視にて比較した。白反射シートと比較し、輝度斑の優劣を観測し、白反射シートと同等で合格とする。【００２７】
「プリズム間距離、プリズム頂角の測定方法」
プリズム付きシートのプリズム間距離、プリズム頂角の測定は以下のようにして測定する。測定器としては、株式会社キーエンス社製の超深度形状測定顕微鏡（型式ＶＫ−８５００）を使用する。
１．プリズム頂角測定方法
５０倍の対物レンズを使用し、０．１μｍの測定ピッチで測定する。測定画面において、トップメニューよりプロファイルを選択し、プリズム付きシートのプリズム形成方向と垂直に計測と選択すると、測定面の凹凸が表示される。表示されたプリズム部の最高点と最低点にカーソルを合わせる。測定機器で、プリズムの最低点から最高点までの角度が測定できる。この測定をプリズムの左右で行い、その合計値を求め測定値をＡとすると  Ａ＝１８０度−レンズ頂角  となりレンズの頂角を測定する。【００２８】
２．プリズム間間隔の測定方法
５０倍の対物レンズを使用し、０．１μｍの測定ピッチで測定する。測定画面において、トップメニューよりプロファイルを選択し、プリズム付きシートのプリズム形成方向と垂直に計測と選択すると、測定面の凹凸が表示される。プリズムの頂部と隣接するプリズム頂部にカーソルを合わせることにより、自動的にプリズム間間隔が測定する。
【実施例１】
【００２９】
ポリエステルフィルム（東洋紡製：品番Ａ４３００  厚み１２５μｍ）を基板（図４において樹脂シート層２６）とし、この上に接着層２５（膜厚３μｍ）をコートし、更にこの上に真空蒸着により金属膜層２４（銀：膜厚１２０ｎｍ）を形成し、金属膜層２４の上にニトロセルロースの溶液をコートし防錆層２３（膜厚１μｍ）を形成し、更に防錆層２４の上にプリズム層２２を電子線硬化樹脂を使用し作成し、反射シート２１を作成した。プリズム層は、防錆層２４の上に電子線硬化樹脂を配置し、その上にプリズムの型を付与するための金型を載置し、基板から電子線を照射して形成した。プリズム層は、表１に示すように、プリズムの頂角、及びプリズムの頂点と隣接する頂点の距離を変えたものを作成した。【００３０】
このようにして製造したプリズムの頂角、及びプリズムの頂点間距離を変えた反射シートを使用し、反射シートの性能を、ＧＰＬコスリ性、ボゴ試験、輝度の相対値及び輝度斑（モアレ）について評価した。ＧＰＬコスリ性とボゴ試験は、専用の測定装置を用いて評価し、輝度及び輝度斑に関しては、反射シートを液晶表示装置に組み込み評価した。この際、液晶表示装置において、プリズムレンズシートのプリズム面が下向きでプリズム型導光板に当接し、そのプリズムの配列方向が光の入射方向と垂直になるよう配置し、プリズム型導光板のプリズム面が下向きで反射シートのプリズム面と当接し、プリズム型導光板のプリズムの配列方向が光の入射方向と一致するように（プリズムレンズシートのプリズムの配列方向と垂直に）配置し、反射シートは反射シートのプリズムの配列方向はプリズム型導光板のプリズムの配列方向に対して５度の角度になるように配置した。尚、プリズムレンズシート及びプリズム型導光板のプリズムの頂角は９０度のものを使用した。【００３１】
評価した結果を表１に示した。プリズム頂角は、図２においてαで示した角度で、単位は度である。プリズム頂点間距離は図２においてｔで示したもので、単位はμｍである。また、プリズムの三角形部分の底辺の長さは図２でｓで示したもので、いずれの場合も、５０μｍと一定値にした。ＧＰＬコスリ性は導光体と反射シートの摩擦による傷の付き方を示す指標で、×、△、○の順に良好であることを示す。また、ボゴ試験は導光体と反射シートを重ねて上から叩いたときの傷の付き方を示す指標で、×、△、○の順に良好であることを示す。相対輝度は、プリズム層に白色樹脂シートを使用した場合の輝度を１００としたときの相対値である。輝度斑（モアレ）は、×、△、○、◎の順に良好であることを示す。【００３２】
【表１】
2006134919.tif 000002
【００３３】
輝度のみの観点では、プリズムをもたない透明樹脂シート層をもつ反射シートが最も高くなるが、輝度斑（モアレ）の点では、最悪のものとなっている。反射シートにプリズム形状を付与することにより、輝度斑（モアレ）は格段に改良されていることがわかる。プリズムの頂角は、１４５度から１６８度の範囲で、導光体や反射シートに傷が付きにくく、輝度斑も良好で、輝度相対値として１２０程度の良好なものとなっている。このことから、反射シートのプリズム層におけるプリズムの頂角は１４５度以上１６８度以下にするのが、輝度、傷つき性、輝度斑の各観点から好ましいことがわかる。また、プリズムの頂点と隣接する頂点との距離に注目すると、５０μｍ以上５５０μｍ以下の範囲で、輝度、傷つき性、輝度斑の各観点から好ましいことがわかる。プリズム頂角が１４０度以下では、プリズム頂点間距離の如何に関わらず、ＧＰＬコスリ性、ボゴ試験や相対輝度が良くないが、プリズム頂角が１４５度以上１６８度以下では、ＧＰＬコスリ性、ボゴ試験や相対輝度が良いことがわかる。また、プリズム頂角が１６５度において、プリズム頂点間距離が８００μｍではＧＰＬコスリ性、ボゴ試験が若干低下するが、プリズム頂角が１６８度において、プリズム頂点間距離が５５０μｍではＧＰＬコスリ性、ボゴ試験が良いことから、プリズム頂角が１４５度〜１６８度、かつ、プリズム頂点間距離が５０〜５５０μｍのライト型バックライト反射シートが、輝度、傷つき性、輝度斑の各観点から好ましいことがわかる。
【実施例２】
【００３４】
次に、実施例１と同様にして、プリズムの頂角が１４５度、プリズムの底辺の距離が、図２でｓで示したもので、５０μｍの反射シートを製造した。この反射シートを以下に述べる比較例とともに、液晶表示装置に組み込んで評価した。液晶表示装置において、プリズム型導光板のプリズム配列方向に対して、反射シートのプリズムの配列方向がなす角度を変えて、反射シートを配置した。また、プリズムレンズシートのプリズム面が下向きでプリズム型導光板に当接し、プリズムレンズシートのプリズムの配列方向が光の入射方向と垂直になるよう配置し、プリズム型導光板のプリズム面が下向きで反射シートのプリズム面と当接し、プリズム型導光板のプリズムの配列方向が光の入射方向と一致する（プリズムレンズシートのプリズムの配列方向に垂直になる）ように配置した。尚、プリズムレンズシート及びプリズム型導光板のプリズムの頂角は９０度のものを使用した。【００３５】
プリズム型導光板のプリズムの配列方向に対して、反射シートのプリズムの配列方向がなす角度を変えた場合、該角度と輝度、輝度斑の関係を表２に示した。表２から、角度が５度以上、２０度以下の範囲において、輝度が高く、かつ、輝度斑が小さいことがわかる。比較例の粒子を有する反射シートでは輝度は低く、輝度斑も大きいことがわかる。【００３６】
【表２】
2006134919.tif 000003
【比較例】
【００３７】
比較例として、ポリエステルフィルム（東洋紡製：品番Ａ４３００  厚み１２５μｍ）ｍ）上に、アンダーコート層（膜厚２μｍ）を形成し、銀（膜厚：１００ｎｍ）の金属膜層を真空蒸着法により設け、更にその上に輝度ムラ防止層として、平均粒径４μｍの粒子を混入した樹脂層をウェットコーティング法により（膜厚：５μｍ）形成した反射シートを作成した。
【産業上の利用可能性】
【００３８】
本発明の反射シートを使用することにより、鏡面反射等で実現できる高輝度を維持しながら、光均一性が高く、輝線、輝点、輝度斑（モアレ）が少なく、しかも、導光板や反射シートが傷付きにくく、高輝度を長時間に亘って維持する液晶装置を実現できるものである。液晶表示装置は産業界のみならず家庭、個人のレベルまで浸透しいるもので、本願発明の産業界に寄与する効果は極めて大きいものがある。
【図面の簡単な説明】
【００３９】
【図１】サイドライト型液晶表示装置におけるバックライトの構成の一例を模式的に示した図である
【図２】反射シートのプリズム層を模式的に示した図である
【図３】反射シートの頂点が作る稜線の形状を模式的に示した図である
【図４】反射シートの構成例を模式的に示す図である
【図５】反射シートの他の構成例を模式的に示す図である
【図６】ＧＰＬコスリ性を測定するための装置を示す図である
【図７】ボゴ試験を行うための装置を示す図である
【図８】プリズム型導光板のプリズムの配列方向に対する反射シートのプリズムの配列方向がなす角度を説明する図である
【符号の説明】
【００４０】
１                      ランプ
２                      プリズム型導光板
３                      反射シート
４                      プリズムレンズシート
５                      反射シートのプリズムの配列方向
６                      プリズム型導光板のプリズムの配列方向
１１                    反射シートのプリズム層
１２                    プリズムの頂点
２１                    反射シート
２２                    プリズム層
２３                    防錆層
２４                    金属膜層
２５                    接着層
２６                    樹脂シート層
２７                    接着剤層
２８                    樹脂シート層
２９                    透明樹脂シート層
３０                    ＧＰＬコスリ性測定装置
３２                    測定用治具
３３                    両面テープ（接着用）
３４、４２              反射シート
３５、４３              プリズム型導光板
３６、４４              測定台
４０                    ボゴ測定器
４１                    加圧部
θ                      プリズム型導光板のプリズムの配列方向に対する反射シートのプリズムの配列方向がなす角度
ｔ                      隣接するプリズム頂点間の距離
α                      プリズムの頂角がなす角度
ｓ                      プリズムの底辺の距離
【図１】
2006134919.tif 000004
【図２】
2006134919.tif 000005
【図３】
2006134919.tif 000006
【図４】
2006134919.tif 000007
【図５】
2006134919.tif 000008
【図６】
2006134919.tif 000009
【図７】
2006134919.tif 000010
【図８】
2006134919.tif 000011
【国際調査報告】
2006134919.tif 000012
2006134919.tif 000013